(57)【要約】【課題】購入対象（例えば、インクカートリッジ等の消耗品）をオンラインで手間なく購入することができる購入対象購入システム等を提供する。【解決手段】印刷装置２０と端末４０とを備える購入対象購入システム１０であって、前記印刷装置２０は、購入対象を販売するオンラインショップのサイト５０にアクセスするためのアクセス情報を、近距離無線通信により前記端末４０に送信するアクセス情報送信部４４を備え、前記端末４０は、前記アクセス情報送信部４４によって送信される前記アクセス情報を受信するアクセス情報受信部３０と、前記アクセス情報受信部３０によって受信された前記アクセス情報に基づいて、前記オンラインショップのサイト５０にアクセスして、前記購入対象の購入処理を実行する購入処理実行部４２ａ３と、を備えることを特徴とする。【選択図】  図２
2018041361.tif 000002
【特許請求の範囲】
【請求項１】
印刷装置と端末とを備え、当該印刷装置に関連する商品の購入を当該端末に実行させる商品購入システムであって、
前記印刷装置は、
購入対象商品を販売するオンラインショップのサイトにアクセスするためのアクセス情報を、近距離無線通信により前記端末に送信するアクセス情報送信部を備え、
前記端末は、
前記アクセス情報送信部によって送信される前記アクセス情報を受信するアクセス情報受信部と、
前記アクセス情報受信部によって受信された前記アクセス情報に基づいて、前記オンラインショップのサイトにアクセスして、前記購入対象商品を購入する購入処理を実行する購入処理実行部と、を備える商品購入システム。
【請求項２】
購入対象商品を販売するオンラインショップのサイトにアクセスするためのアクセス情報を、近距離無線通信により端末に送信するアクセス情報送信部を備える印刷装置。
【請求項３】
前記アクセス情報をメモリーから取得するアクセス情報取得部をさらに備え、
前記アクセス情報送信部は、前記アクセス情報取得部によって取得された前記アクセス情報を近距離無線通信により前記端末に送信する請求項２に記載の印刷装置。
【請求項４】
前記メモリーは、ＮＦＣタグに設けられ、
前記アクセス情報取得部は、前記ＮＦＣタグから非接触で前記アクセス情報を読み取るＮＦＣタグリーダーである請求項３に記載の印刷装置。
【請求項５】
前記購入対象商品は、インクカートリッジであり、
前記ＮＦＣタグは、前記インクカートリッジに設けられる請求項４に記載の印刷装置。
【請求項６】
前記購入対象商品である消耗品の残量を監視する消耗品残量監視部と、
前記消耗品残量監視部によって監視される前記購入対象商品である消耗品の残量が閾値以下か否かを判定する消耗品残量判定部と、をさらに備え、
前記アクセス情報送信部は、前記消耗品残量判定部によって前記購入対象商品である消耗品の残量が前記閾値以下と判定された場合、コネクション確立を目的とするアドバタイズパケットを前記端末に向けて送信し、前記端末とのコネクションが確立した場合、当該コネクションを用いて、前記アクセス情報取得部によって取得された前記アクセス情報を近距離無線通信により前記端末に送信する請求項２から５のいずれか１項に記載の印刷装置。
【請求項７】
前記アクセス情報送信部は、前記アクセス情報を、当該アクセス情報を含むパケットの形態で前記端末に送信する請求項２から６のいずれか１項に記載の印刷装置。
【請求項８】
前記アクセス情報送信部は、前記購入対象商品の購入処理が完了した場合、前記アドバタイズパケットの送信を停止する請求項６に記載の印刷装置。
【請求項９】
前記近距離無線通信は、ＢｌｕｅＴｏｏｔｈ  Ｌｏｗ  Ｅｎｅｒｇｙによる通信である請求項２から８のいずれか１項に記載の印刷装置。
【請求項１０】
印刷装置から近距離無線通信により送信される、購入対象商品を販売するオンラインショップのサイトにアクセスするためのアクセス情報を受信するアクセス情報受信部と、
前記アクセス情報受信部によって受信された前記アクセス情報に基づいて、前記オンラインショップのサイトにアクセスして、前記購入対象商品の購入処理を実行する購入処理実行部と、を備える端末。
【請求項１１】
前記購入対象商品を前記オンラインショップのサイトで購入可能であると判明した場合には、当該オンラインショップのサイトで前記購入対象商品が購入される請求項１０に記載の端末。
【請求項１２】
前回実施された購入処理の実施日から現在までの経過日数が、所定日数以上経過したか否かを判定する経過日数判定部をさらに備え、
前記購入処理実行部は、前記経過日数判定部によって前記経過日数が前記所定日数以上経過したと判定された場合、前記購入対象商品の購入処理を実行する請求項１０又は１１に記載の端末。
【請求項１３】
購入対象商品自動購入処理機能のオン又はオフを表す情報が記憶される記憶部をさらに備え、
前記購入処理実行部は、前記経過日数判定部によって前記経過日数が前記所定日数以上経過したと判定され、かつ、前記記憶部に購入対象商品自動購入処理機能のオンを表す情報が記憶されている場合、前記購入対象商品の購入処理を実行する請求項１２に記載の端末。
【請求項１４】
前記記憶部に購入対象商品自動購入処理機能のオフを表す情報が記憶されている場合、前記購入対象商品の販売店に関する情報を通知する通知部をさらに備える請求項１３に記載の端末。
【請求項１５】
前記近距離無線通信は、ＢｌｕｅＴｏｏｔｈ  Ｌｏｗ  Ｅｎｅｒｇｙによる通信である請求項１０から１４のいずれか１項に記載の端末。
【発明の詳細な説明】
【技術分野】
【０００１】
本発明は、商品購入システム、印刷装置及び端末に関する。
【背景技術】
【０００２】
従来、インク残量が閾値以下となったインクカートリッジの型番、インクカートリッジの販売サイトにアクセスするためのアクセス情報（例えば、ＵＲＬ：Uniform Resource Locator）等をメモリーから読み出し、当該読み出した型番、アクセス情報等をエンコーダにより二次元シンボル化して、ディスプレイに表示するように構成された印刷装置が知られている（例えば、特許文献１参照）。
【０００３】
特許文献１においては、ディスプレイに表示された二次元シンボルは、ユーザーがこれをカメラ付き携帯電話で撮影することで、自動的にデコードされて文字情報へ変換され、当該変換された文字情報であるインクカートリッジの型番、アクセス情報等が携帯電話のディスプレイに表示されるようになっている。
【０００４】
そして、この表示されたアクセス情報を選択することで、携帯電話のディスプレイに販売サイトの画面が表示されて、インクカートリッジをオンラインで購入できる状態となる。
【先行技術文献】
【特許文献】
【０００５】
【特許文献１】特開２００８−０９３９６８号公報
【発明の概要】
【発明が解決しようとする課題】
【０００６】
しかしながら、上記特許文献１に記載の印刷装置においては、ユーザーは、インクカートリッジをオンラインで購入する際、いちいち印刷装置のディスプレイに表示された二次元シンボルをカメラ付き携帯電話で撮影しなければならず、手間がかかり、使い勝手がよくないという課題がある。
【０００７】
本発明は、上記事情に鑑みてなされたものであり、購入対象商品（例えば、インクカートリッジ等の消耗品）をオンラインで手間なく購入することができる商品購入システム等を提供することを目的とする。
【課題を解決するための手段】
【０００８】
上記目的を達成するために、本発明の一つの側面は、印刷装置と端末とを備え、当該印刷装置に関連する商品の購入を当該端末に実行させる商品購入システムであって、前記印刷装置は、購入対象商品を販売するオンラインショップのサイトにアクセスするためのアクセス情報を、近距離無線通信により前記端末に送信するアクセス情報送信部を備え、
前記端末は、前記アクセス情報送信部によって送信される前記アクセス情報を受信するアクセス情報受信部と、前記アクセス情報受信部によって受信された前記アクセス情報に基づいて、前記オンラインショップのサイトにアクセスして、前記購入対象商品を購入する購入処理を実行する購入処理実行部と、を備えることを特徴とする。
【０００９】
この側面によれば、購入対象商品（例えば、インクカートリッジ等の消耗品）をオンラインで手間なく購入することができる商品購入システムを提供することができる。
【００１０】
これは、購入処理実行部が、アクセス情報受信部によって受信されたアクセス情報に基づいて、オンラインショップのサイトにアクセスして、購入対象商品の購入処理を実行することによるものである。
【００１１】
また、上記目的を達成するために、本発明のさらに別の側面は、購入対象商品を販売するオンラインショップのサイトにアクセスするためのアクセス情報を、近距離無線通信により端末に送信するアクセス情報送信部を備える印刷装置であることを特徴とする。
【００１２】
この側面によれば、購入対象商品（例えば、インクカートリッジ等の消耗品）をオンラインで手間なく購入することができる印刷装置を提供することができる。
【００１３】
また、上記発明において、好ましい態様は、前記アクセス情報をメモリーから取得するアクセス情報取得部をさらに備え、前記アクセス情報送信部は、前記アクセス情報取得部によって取得された前記アクセス情報を近距離無線通信により前記端末に送信することを特徴とする。
【００１４】
この態様によれば、購入対象商品（例えば、インクカートリッジ等の消耗品）をオンラインで手間なく購入することができる印刷装置を提供することができる。
【００１５】
また、上記発明において、好ましい態様は、前記メモリーは、ＮＦＣタグに設けられ、前記アクセス情報取得部は、前記ＮＦＣタグから非接触で前記アクセス情報を読み取るＮＦＣタグリーダーであることを特徴とする。
【００１６】
この態様によれば、購入対象商品（例えば、インクカートリッジ等の消耗品）をオンラインで手間なく購入することができる印刷装置を提供することができる。
【００１７】
また、上記発明において、好ましい態様は、前記購入対象商品は、インクカートリッジであり、前記ＮＦＣタグは、前記インクカートリッジに設けられることを特徴とする。
【００１８】
この態様によれば、購入対象商品（例えば、インクカートリッジ等の消耗品）をオンラインで手間なく購入することができる印刷装置を提供することができる。
【００１９】
また、上記発明において、好ましい態様は、前記購入対象商品である消耗品の残量を監視する消耗品残量監視部と、前記消耗品残量監視部によって監視される前記購入対象商品である消耗品の残量が閾値以下か否かを判定する消耗品残量判定部と、をさらに備え、前記アクセス情報送信部は、前記消耗品残量判定部によって前記購入対象商品である消耗品の残量が前記閾値以下と判定された場合、コネクション確立を目的とするアドバタイズパケットを前記端末に向けて送信し、前記端末とのコネクションが確立した場合、当該コネクションを用いて、前記アクセス情報取得部によって取得された前記アクセス情報を近距離無線通信により前記端末に送信することを特徴とする。
【００２０】
この態様によれば、購入対象商品である消耗品の残量が閾値以下と判定されたことをトリガとして、購入対象商品の購入処理を実行することができる。
【００２１】
また、上記発明において、好ましい態様は、前記アクセス情報送信部は、前記アクセス情報を、当該アクセス情報を含むパケットの形態で前記端末に送信することを特徴とする。
【００２２】
この態様によれば、アクセス情報を、当該アクセス情報を含むパケットの形態で端末に送信することができる。
【００２３】
また、上記発明において、好ましい態様は、前記アクセス情報送信部は、前記購入対象商品の購入処理が完了した場合、前記アドバタイズパケットの送信を停止することを特徴とする。
【００２４】
この態様によれば、ある端末によって購入対象商品の自動購入処理を実行したにも関わらず、別の端末によって再度、同じ購入対象商品の自動購入処理を実行することを防止することができる。
【００２５】
また、上記発明において、好ましい態様は、前記近距離無線通信は、ＢｌｕｅＴｏｏｔｈ  Ｌｏｗ  Ｅｎｅｒｇｙによる通信であることを特徴とする。
【００２６】
この態様によれば、アクセス情報送信部は、購入対象を販売するオンラインショップのサイトにアクセスするためのアクセス情報を、ＢｌｕｅＴｏｏｔｈ  Ｌｏｗ  Ｅｎｅｒｇｙによる通信により端末に送信することができる。
【００２７】
また、上記目的を達成するために、本発明のさらに別の側面は、印刷装置から近距離無線通信により送信される、購入対象商品を販売するオンラインショップのサイトにアクセスするためのアクセス情報を受信するアクセス情報受信部と、前記アクセス情報受信部によって受信された前記アクセス情報に基づいて、前記オンラインショップのサイトにアクセスして、前記購入対象商品の購入処理を実行する購入処理実行部と、を備える端末であることを特徴とする。
【００２８】
この側面によれば、購入対象商品（例えば、インクカートリッジ等の消耗品）をオンラインで手間なく購入することができる端末を提供することができる。
【００２９】
また、上記発明において、好ましい態様は、前記購入対象商品を前記オンラインショップのサイトで購入可能であると判明した場合には、当該オンラインショップのサイトで前記購入対象商品が購入されることを特徴とする。
【００３０】
この態様によれば、購入対象商品をオンラインショップのサイトで購入可能であると判明した場合には、当該オンラインショップのサイトで購入対象を購入することができる。
【００３１】
また、上記発明において、好ましい態様は、前回実施された購入処理の実施日から現在までの経過日数が、所定日数以上経過したか否かを判定する経過日数判定部をさらに備え、前記購入処理実行部は、前記経過日数判定部によって前記経過日数が前記所定日数以上経過したと判定された場合、前記購入対象商品の購入処理を実行することを特徴とする。
【００３２】
この態様によれば、前回実施された購入処理の実施日から現在までの経過日数が、所定日数以上経過したと判定された場合、購入対象の購入処理を実行することができる。
【００３３】
また、上記発明において、好ましい態様は、購入対象商品自動購入処理機能のオン又はオフを表す情報が記憶される記憶部をさらに備え、前記購入処理実行部は、前記経過日数判定部によって前記経過日数が前記所定日数以上経過したと判定され、かつ、前記記憶部に購入対象商品自動購入処理機能のオンを表す情報が記憶されている場合、前記購入対象商品の購入処理を実行することを特徴とする。
【００３４】
この態様によれば、前回実施された購入処理の実施日から現在までの経過日数が、所定日数以上経過したと判定され、かつ、記憶部に購入対象自動購入処理機能のオンを表す情報が記憶されている場合、購入対象商品の購入処理を実行することができる。
【００３５】
また、上記発明において、好ましい態様は、前記記憶部に購入対象商品自動購入処理機能のオフを表す情報が記憶されている場合、前記購入対象商品の販売店に関する情報を通知する通知部をさらに備えることを特徴とする。
【００３６】
この態様によれば、記憶部に購入対象自動購入処理機能のオフを表す情報が記憶されている場合、購入対象商品の販売店に関する情報を通知することができる。
【００３７】
また、上記発明において、好ましい態様は、前記近距離無線通信は、ＢｌｕｅＴｏｏｔｈ  Ｌｏｗ  Ｅｎｅｒｇｙによる通信であることを特徴とする。
【００３８】
この態様によれば、アクセス情報受信部は、購入対象商品を販売するオンラインショップのサイトにアクセスするためのアクセス情報を、ＢｌｕｅＴｏｏｔｈ  Ｌｏｗ  Ｅｎｅｒｇｙによる通信により受信することができる。
【図面の簡単な説明】
【００３９】
【図１】本発明の消耗品購入システム、印刷装置及び端末が適用される消耗品購入システム１０のシステム構成の一例を示す図である。
【図２】印刷装置２０及び端末４０の概略構成図である。
【図３】設定値記憶部４２ｃ２に記憶される設定値の一例である。
【図４】印刷装置２０の動作を説明するためのフローチャートである。
【図５】端末４０の動作（インクカートリッジ２６の自動購入処理）を説明するためのフローチャートである。
【図６】タッチスクリーンディスプレイ４６に表示されるインク残量が無い旨の表示例である。
【図７】タッチスクリーンディスプレイ４６に表示される販売店の情報の表示例である。
【発明を実施するための形態】
【００４０】
以下、本発明の実施形態について添付図面を参照しながら説明する。各図において対応する構成要素には同一の符号が付され、重複する説明は省略される。
【００４１】
図１は、本発明の商品購入システム、印刷装置及び端末が適用される消耗品購入システム１０のシステム構成の一例を示す図である。
【００４２】
図１に示すように、本実施形態の消耗品購入システム１０は、印刷装置２０と、端末４０と、消耗品販売サイト５０と、を備える。以下、購入対象（購入対象商品）が、印刷装置２０が使用するインクカートリッジ２６（消耗品）である例について説明する。なお、購入対象商品は、印刷装置２０に関連する商品である。
【００４３】
図２は、印刷装置２０及び端末４０の概略構成図である。
【００４４】
印刷装置２０は、インクジェット方式のプリンターであるが、これに限らず、例えば、スキャナ、コピー機及びファクシミリ装置のうち少なくとも１つとプリンターとを含む複合機（ＭＦＰ：Multi-Function Printer）であってもよい。また、印刷装置２０は、内蔵バッテリーから供給される電力で動作する携帯型のプリンター（モバイルプリンター）であってもよいし、商用電源から供給される電力で動作する据え置き型のプリンターであってもよい。
【００４５】
図２に示すように、印刷装置２０は、主に、第１制御部２２、インク残量監視部２４、インクカートリッジ２６、ＮＦＣタグリーダー２８、第１無線通信部３０、印刷機構３２等を備える。
【００４６】
第１制御部２２は、ＣＰＵ２２ａ、ＲＡＭ２２ｂ、ＲＯＭ２２ｃ等を備える。
【００４７】
第１制御部２２（ＣＰＵ２２ａ）は、ＲＯＭ２２ｃから読み込まれた所定プログラム（制御プログラム等）を実行することで、印刷装置２０全体の動作を司る。ＲＡＭ２２ｂは、ＣＰＵ２２ａが各種演算処理を行う際の作業領域として用いられる。ＲＯＭ２２ｃは、例えば、フラッシュＲＯＭ等の書き換え可能な不揮発性メモリーで、制御プログラム等のファームウエアが記憶される。
【００４８】
インク残量監視部２４は、印刷装置２０に装着されたインクカートリッジ２６内のインク残量を監視する。インク残量監視部２４が本発明の消耗品残量監視部に相当する。なお、インクカートリッジ２６は、１つの場合（例えば黒インクの場合）もあるし、複数の場合（例えばカラーインクの場合）もある。なお、インク残量の監視とは、ＮＦＣタグからインク残量を所定のタイミングで取得することをいう。インク残量は、ＮＦＣタグに書き込まれた印刷枚数等に基づいて推定される値である。
【００４９】
第１制御部２２（ＣＰＵ２２ａ）は、ＲＯＭ２２ｃから読み込まれた所定プログラム（制御プログラム等）を実行することで、インク残量判定部２２ａ１として機能する。
【００５０】
インク残量判定部２２ａ１は、インク残量監視部２４によって監視されるインクの残量が閾値以下か否かを判定する。インク残量判定部２２ａ１が本発明の消耗品残量判定部に相当する。
【００５１】
インクカートリッジ２６には、ＲＦＩＤ（Radio Frequency-IDentification）タグ等の非接触型の無線ＩＣタグとしてのＮＦＣ（Near Field Communication）タグ２６ａが設けられる。ＮＦＣタグ２６ａは、メモリー（図示せず）を含む。
【００５２】
ＮＦＣタグ２６ａ（メモリー）には、インクカートリッジ２６を販売する販売店（以下単に販売店という）の情報、インクカートリッジ２６の識別情報等が記憶される。
【００５３】
販売店の情報は、例えば、販売対象であるインクカートリッジ２６（消耗品）を販売する消耗品販売サイト５０にアクセスするためのアクセス情報を含む。アクセス情報は、消耗品販売サイト５０のＵＲＬである。消耗品販売サイト５０は、例えば、インクカートリッジ２６の販売ページ（ウェブページ。以下同様）の検索が可能な検索サイトである。消耗品販売サイト５０が本発明のオンラインショップのサイトに相当する。
【００５４】
インクカートリッジ２６の識別情報は、例えば、インクカートリッジ２６の型番である。
【００５５】
販売店の情報（アクセス情報）及びインクカートリッジ２６の識別情報は、インクカートリッジ２６の販売前に、販売店において、店員によってＮＦＣタグ２６ａ（メモリー）に書き込まれる。店員は、ＮＦＣタグライターを用いて、販売店の情報（アクセス情報）及びインクカートリッジ２６の識別情報をＮＦＣタグ２６ａ（メモリー）に書き込む。
【００５６】
なお、インクカートリッジ２６の識別情報は、インクカートリッジ２６を販売店へ出荷する前に、例えば、インクカートリッジ２６の製造工場においてＮＦＣタグ２６ａ（メモリー）に書き込んでもよい。
【００５７】
ＮＦＣタグリーダー２８は、ＮＦＣタグ２６ａ（メモリー）から販売店の情報（アクセス情報）及びインクカートリッジ２６の識別情報を非接触で読み取る。ＮＦＣタグリーダー２８は、印刷装置２０に装着されたインクカートリッジ２６（ＮＦＣタグ２６ａ）近傍に設けられる。ＮＦＣタグリーダー２８が本発明のアクセス情報取得部に相当する。
【００５８】
ＮＦＣタグリーダー２８によって読み取られた販売店の情報（アクセス情報）及びインクカートリッジ２６の識別情報は、これらを含むパケットの形態で第１無線通信部３０によって端末４０に送信される。
【００５９】
第１無線通信部３０は、ＢＬＥ（Bluetooth Low Energy）に従った無線通信（以下、ＢＬＥ通信という）を行う通信部である。ＢＬＥ通信が本発明の近距離無線通信に相当する。
【００６０】
第１無線通信部３０は、インク残量判定部２２ａ１によってインクカートリッジ２６内のインク残量が閾値以下と判定された場合、コネクション確立を目的とするアドバタイズパケット（ADV_IND）を端末４０に向けて一定間隔ごとに送信（ブロードキャスト）する。第１無線通信部３０は、このアドバタイズパケットを受信した端末４０との接続（コネクション）を確立する。
【００６１】
そして、第１無線通信部３０は、この接続（コネクション）を用いて、ＮＦＣタグリーダー２８によって読み取られた販売店の情報（アクセス情報）及びインクカートリッジ２６の識別情報を含むパケットを、ＢＬＥ通信（近距離無線通信）により端末４０に向けて送信する。この場合、第１無線通信部３０が本発明のアクセス情報送信部に相当する。
【００６２】
印刷機構３２は、図示しないが、インクカートリッジ２６から供給されるインク滴を吐出するインクジェットヘッド（印刷ヘッド）、用紙送り機構等を備える。
【００６３】
端末４０は、典型的には、スマートフォンであるが、これに限らず、スマートフォン以外の例えば、パーソナルコンピューター（ＰＣ）、タブレット型端末、携帯電話機等であってもよい。
【００６４】
図２に示すように、端末４０は、主に、第２制御部４２、第２無線通信部４４、タッチスクリーンディスプレイ４６、第３無線通信部４８等を備える。
【００６５】
第２制御部４２は、ＣＰＵ４２ａ、ＲＡＭ４２ｂ、ＲＯＭ４２ｃ等を備える。
【００６６】
第２制御部４２（ＣＰＵ４２ａ）は、ＲＯＭ４２ｃから読み込まれた所定プログラム（専用アプリケーションプログラム等）を実行することで、端末４０全体の動作を司る。ＲＡＭ４２ｂは、ＣＰＵ４２ａが各種演算処理を行う際の作業領域として用いられる。ＲＯＭ４２ｃは、例えば、フラッシュＲＯＭ等の書き換え可能な不揮発性メモリーで、ＯＳ（オペレーティングシステム。以下同様）や当該ＯＳ上で実行される専用アプリケーションプログラムが記憶される。また、ＲＯＭ４２ｃは、購入処理実施日記憶部４２ｃ１、設定値記憶部４２ｃ２を含む。
【００６７】
購入処理実施日記憶部４２ｃ１には、前回実施された自動購入処理の実施日が記憶される。
【００６８】
図３は、設定値記憶部４２ｃ２に記憶される設定値の一例である。
【００６９】
図３に示すように、設定値記憶部４２ｃ２には、設定値として、消耗品自動購入処理機能（購入対象商品自動購入処理機能）のオン又はオフを表す情報、消耗品自動購入オプションのうち選択された検索条件（以下単に検索条件という）を表す情報、購入処理実施間隔、消耗品情報通知機能のオン又はオフを表す情報が記憶される。
【００７０】
これらの設定値は、ユーザーが、タッチスクリーンディスプレイ４６に表示される設定画面（図示せず）を、当該タッチスクリーンディスプレイ４６を介して操作することで入力されて設定値記憶部４２ｃ２に記憶される。なお、これらの設定値は、適宜変更することが可能である。
【００７１】
第２制御部４２（ＣＰＵ４２ａ）は、ＲＯＭ４２ｃから読み込まれた所定プログラム（専用アプリケーションプログラム等）を実行することで、経過日数判定部４２ａ１、購入処理実施日更新部４２ａ２、消耗品購入処理実行部４２ａ３として機能する。
【００７２】
経過日数判定部４２ａ１は、購入処理実施日記憶部４２ｃ１に記憶された前回実施された自動購入処理の実施日から現在までの経過日数が、設定値記憶部４２ｃ２に記憶された購入処理実施間隔（所定日数）以上経過したか否かを判定する。なお、前回実施された自動購入処理の実施日から現在までの経過日数とは、具体的には、購入対象商品と同一の商品を端末４０が消耗品販売サイトで購入した直近の日から端末４０が印刷装置２０からアクセス情報及び識別情報を受信した日までの経過日数のことである。ただし、経過日数のカウントの仕方は当業者によりサービス形態に応じて適宜変更されるものであることに留意されたい。
【００７３】
購入処理実施日更新部４２ａ２は、購入処理実施日記憶部４２ｃ１に記憶された前回実施された自動購入処理の実施日を、今回実施される自動購入処理の実施日（つまり、本日）に更新する。
【００７４】
消耗品購入処理実行部４２ａ３は、第２無線通信部４４によって受信されたパケットに含まれるアクセス情報に基づいて、消耗品販売サイト５０（オンラインショップのサイト）にアクセスして、インクカートリッジ２６（消耗品）の自動購入処理を実行する。インクカートリッジ２６（消耗品）の自動購入処理については、後述する。消耗品購入処理実行部４２ａ３が本発明の購入処理実行部に相当する。
【００７５】
第２無線通信部４４は、ＢＬＥ通信（無線通信）を行う通信部で、印刷装置２０からＢＬＥ通信で送信されるパケットを受信する。第２無線通信部４４が本発明のアクセス情報受信部に相当する。
【００７６】
タッチスクリーンディスプレイ４６は、タッチパネル付きディスプレイで、入力部と表示部とを兼ねる。
【００７７】
第３無線通信部４８は、Ｗｉ−Ｆｉに従った無線通信（以下、Ｗｉ−Ｆｉ通信という）を行う通信部である。
【００７８】
次に、本実施形態の消耗品購入システム１０の動作の一例について図４を参照しながら説明する。
【００７９】
図４は、印刷装置２０の動作を説明するためのフローチャートである。
【００８０】
まず、ユーザーが印刷装置２０の電源スイッチ（図示せず）をオンにすると（ステップＳ１０）、インク残量監視部２４が、印刷装置２０に装着されたインクカートリッジ２６内のインク残量の監視を開始する（ステップＳ１２）。
【００８１】
次に、インク残量判定部２２ａ１が、インク残量監視部２４によって監視されるインクの残量が閾値以下か否かを判定する（ステップＳ１３）。
【００８２】
インク残量判定部２２ａ１は、インク残量が閾値を上回ると判定した場合（ステップＳ１３：Ｎｏ）、第１無線通信部３０により、コネクション確立を目的とするアドバタイズパケット（ADV_IND）が送信（ブロードキャスト）されているか否かを判定する（ステップＳ１４）。そして、アドバタイズパケットが送信されていると判定した場合（ステップＳ１４：Ｙｅｓ）、第１無線通信部３０を制御してアドバタイズパケットの送信を停止する（ステップ１５）。一方、ステップＳ１４において、アドバタイズパケットが送信されていないと判定された場合（ステップＳ１４：Ｎｏ）、ステップＳ１５の処理はスキップされる。なお、インク残量監視部２４は、ステップＳ１５の処理が完了すると、または、アドバタイズパケットが送信されていないと判定された場合（ステップＳ１４：Ｎｏ）、インク残量の監視を再開する（ステップＳ１２）。
【００８３】
一方、インク残量が閾値以下と判定された場合（ステップＳ１３：Ｙｅｓ）、ＮＦＣタグリーダー２８が、インクカートリッジ２６に設けられたＮＦＣタグ２６ａ（メモリー）から販売店の情報（アクセス情報）及びインクカートリッジ２６の識別情報を読み取る（ステップＳ１６）。
【００８４】
次に、第１無線通信部３０が、コネクション確立を目的とするアドバタイズパケット（ADV_IND）を端末４０に向けて一定間隔ごとに送信（ブロードキャスト）する（ステップＳ１８）。そして、印刷装置２０（第１無線通信部３０）は、公知の処理を実行することで、このアドバタイズパケットを受信した端末４０との接続（コネクション）を確立する（ステップＳ２０）。
【００８５】
そして、第１無線通信部３０は、この接続（コネクション）を用いて、ＮＦＣタグリーダー２８によって読み取られた販売店の情報（アクセス情報）及びインクカートリッジ２６の識別情報を含むパケットを端末４０に向けて送信する（ステップＳ２２）。
【００８６】
次に、第１無線通信部３０は、コネクションを切断する（ステップＳ２４）。
【００８７】
コネクションが切断されると、図４のフローチャートの処理が終了する。
【００８８】
図５は、端末４０の動作（インクカートリッジ２６の自動購入処理）を説明するためのフローチャートである。
【００８９】
まず、ユーザーが端末４０の電源スイッチ（図示せず）をオンにし（ステップＳ３０）、専用アプリケーションプログラムを起動する（ステップＳ３２）。
【００９０】
端末４０（第２無線通信部４４）は、印刷装置２０からアドバタイズパケット（ADV_IND）を受信したか否かを判定する（ステップＳ３４）。そして、印刷装置２０からアドバタイズを受信していない場合は、アドタイズパケットを受信していないと判定し（ステップＳ３４：Ｎｏ）、ステップＳ３４の判定処理を再度実行する。なお、ステップＳ３４の判定処理は、端末４０が印刷装置２０からアドバタイズパケットを受信するまで繰り返し実行される。
【００９１】
一方、端末４０（第２無線通信部４４）は、印刷装置２０からアドバタイズパケットを受信した場合、アドバタイズパケットを受信したと判定し（ステップＳ３４：Ｙｅｓ）、公知の処理を実行することで、このアドバタイズパケットの送信元の印刷装置２０との接続（コネクション）を確立する（ステップＳ３５）。
【００９２】
次に、端末４０（第２無線通信部４４）は、印刷装置２０から送信される販売店の情報（アクセス情報）及びインクカートリッジ２６の識別情報を含むパケットを受信する（ステップＳ３６）。
【００９３】
次に、経過日数判定部４２ａ１が、購入処理実施日記憶部４２ｃ１に記憶された前回実施された自動購入処理の実施日から現在までの経過日数が、設定値記憶部４２ｃ２に記憶された購入処理実施間隔以上経過したか否かを判定する（ステップＳ３８）。
【００９４】
その結果、経過していないと判定された場合（ステップＳ３８：Ｎｏ）、ステップＳ３４の判定処理が再度実行される。
【００９５】
一方、経過していると判定された場合（ステップＳ３８：Ｙｅｓ）、購入処理実施日更新部４２ａ２が、購入処理実施日記憶部４２ｃ１に記憶された前回実施された自動購入処理の実施日を、今回実施される自動購入処理の実施日（つまり、本日）に更新する（ステップＳ４０）。
【００９６】
次に、消耗品購入処理実行部４２ａ３は、消耗品自動購入処理機能がオンの場合（ステップＳ４２：Ｙｅｓ）、すなわち、設定値記憶部４２ｃ２に消耗品自動購入処理機能のオンを表す情報が記憶されている場合、第２無線通信部４４によって受信されたパケットに含まれる販売店の情報（アクセス情報）に基づいて、消耗品販売サイト５０（オンラインショップのサイト）に第３無線通信部４８を介してアクセスする（ステップＳ４４）。その際、第２無線通信部４４によって受信されたパケットに含まれるインクカートリッジ２６の識別情報、設定値記憶部４２ｃ２に記憶されている検索条件を表す情報が、第３無線通信部４８を介して消耗品販売サイト５０に送信される（ステップＳ４６）。
【００９７】
消耗品販売サイト５０は、端末４０から送信されるインクカートリッジ２６の識別情報及び検索条件を表す情報を受信し、当該受信したインクカートリッジ２６の識別情報及び検索条件をキーとして、インクカートリッジ２６の販売ページを検索する。
【００９８】
そして、消耗品販売サイト５０は、当該検索されたインクカートリッジ２６の販売ページの表示データを、アクセス元の端末４０に送信する。
【００９９】
端末４０は、消耗品販売サイト５０から送信されるインクカートリッジ２６の販売ページの表示データを、第３無線通信部４８を介して受信し、当該表示データに基づいて、インクカートリッジ２６の販売ページを、タッチスクリーンディスプレイ４６に表示する（ステップＳ４８）。
【０１００】
タッチスクリーンディスプレイ４６に表示されるインクカートリッジ２６の販売ページは、図示しないが、例えば、インクカートリッジ２６の写真画像、型番、価格、販売店名、インクカートリッジ２６の購入個数の入力欄、入力内容を、インクカートリッジ２６の販売ページへ第３無線通信部４８を介して送信するための購入（注文）確定ボタン等を含む。
【０１０１】
ユーザーは、タッチスクリーンディスプレイ４６に表示されるインクカートリッジ２６の販売ページを、当該タッチスクリーンディスプレイ４６を介して操作することで、インクカートリッジ２６の購入処理を行う。
【０１０２】
以上のように、端末４０は、インクカートリッジ２６を消耗品販売サイト５０（オンラインショップのサイト）で購入可能であると判明した場合には、当該消耗品販売サイト５０でインクカートリッジ２６を購入する。
【０１０３】
なお、インクカートリッジ２６の購入処理が完了した場合、ステップＳ３４の判定処理が再度実行される。
【０１０４】
また、インクカートリッジ２６の購入処理が完了した場合、その旨を印刷装置２０に通知して、現在装着されているインクカートリッジ２６を今回購入したインクカートリッジ２６に交換するまで、印刷装置２０（第１無線通信部３０）によるアドバタイズパケットの送信を停止するのが望ましい。
【０１０５】
このようにすれば、ある端末４０によってインクカートリッジ２６の自動購入処理を実行したにも関わらず、別の端末によって再度、同じインクカートリッジ２６の自動購入処理を実行することを防止することができる。
【０１０６】
なお、ステップＳ４２の判定処理において、端末２０は、消耗品自動購入処理機能がオフであると判定した場合（ステップＳ４２：Ｎｏ）、消耗品情報通知機能がオンか否かを判定する（ステップＳ５０）。そして、消耗品情報通知機能がオンであると判定した場合は（ステップＳ５０：Ｙｅｓ）、インク残量が無い旨をユーザーに通知する（ステップＳ５２）。例えば、端末４０は、そのバイブレーション機能やＬＥＤ点灯機能によってインク残量が無い旨をユーザーに通知する。さらに、端末４０は、インク残量が無い旨をタッチスクリーンディスプレイ４６に表示することでユーザーに通知する。図６は、タッチスクリーンディスプレイ４６に表示されるインク残量が無い旨の表示例である。
【０１０７】
次に、端末４０は、販売店の情報（消耗品の販売店に関する情報）をタッチスクリーンディスプレイ４６に表示する（ステップＳ５４）。この場合、タッチスクリーンディスプレイ４６が本発明の通知部に相当する。図７は、タッチスクリーンディスプレイ４６に表示される販売店の情報の表示例である。なお、端末２０は、消耗品情報通知機能がオフであると判定した場合は（ステップＳ５０：Ｎｏ）、ステップＳ３４の判定処理が再度実行される。
【０１０８】
なお、図６及び図７に示す画像や文字を表示するためのデータは、例えば、インクカートリッジ２６に設けられたＮＦＣタグ２６ａに記憶されている。そして、図６及び図７に示す画像や文字を表示するためのデータは、ＮＦＣタグリーダー２８によって販売店の情報及びインクカートリッジ２６の識別情報とともに読み取られ、これらを含むパケットの形態で第１無線通信部３０によって端末４０に送信される。端末４０は、このデータに基づいて、インク残量が無い旨をタッチスクリーンディスプレイ４６に表示したり（図６参照）、販売店の情報をタッチスクリーンディスプレイ４６に表示したりする（図７参照）。
【０１０９】
以上説明したように、本実施形態によれば、印刷装置２０が使用するインクカートリッジ２６をオンラインで手間なく購入することができる消耗品購入システムを提供することができる。
【０１１０】
これは、インクの残量が閾値以下と判定された（ステップＳ１４：Ｙｅｓ）ことをトリガとして、インクカートリッジ２６の自動購入処理が実行されることによるものである。
【０１１１】
次に、変形例について説明する。
【０１１２】
上記実施形態では、印刷装置２０から端末４０へ送信されるアクセス情報が、インクカートリッジ２６の販売ページの検索が可能な検索サイトである消耗品販売サイト５０のＵＲＬである例について説明したが、これに限らない。
【０１１３】
例えば、印刷装置２０から端末４０へ送信されるアクセス情報は、インクカートリッジ２６の販売ページのＵＲＬであってもよい。
【０１１４】
インクカートリッジ２６の販売ページは、ステップＳ４８と同様、当該販売ページにアクセスした端末４０のタッチスクリーンディスプレイ４６に表示される。
【０１１５】
本変形例によれば、印刷装置２０から端末４０へのインクカートリッジ２６の識別情報の送信、及び、端末４０からインクカートリッジ２６の販売ページへのインクカートリッジ２６の識別情報の送信を省略することができる。また、ＮＦＣタグ２６ａへのインクカートリッジ２６の識別情報の書き込みを省略することもできる。
【０１１６】
ただし、識別情報の書き込みや送信が省略されると、商品の販売ページのＵＲＬが変更された場合に、販売ページへのアクセスが不能となり商品購入が滞る。そこで、販売ページのＵＲＬの変更された場合は、印刷装置２０の管理者等が、ＮＦＣタグ２６ａが記憶する変更前のＵＲＬを変更後のＵＲＬに更新する必要がある。
【０１１７】
また上記実施形態では、購入対象が、印刷装置２０が使用するインクカートリッジ２６（消耗品）である例について説明したが、購入対象は、消耗品に限定されない。例えば、購入対象は、印刷装置２０の交換部品（フィニッシャーや給紙ユニット）であってもよい。
【０１１８】
なお、図４、５等で実行される処理は、ＣＰＵが実行する例に限定されず、他の電子部品［例えば、ＡＳＩＣ（Application Specific Integrated Circuit）］によって実行されてもよい。また、図４、５等で実行される処理は、複数の電子機器（例えば複数のＣＰＵ）で分散処理されてもよいし、ＣＰＵとＡＳＩＣとが協働して動作することにより実行されてもよい。
【０１１９】
上記実施形態で示した各数値は全て例示であり、これと異なる適宜の数値を用いることができるのは無論である。
【０１２０】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【０１２１】
１０…消耗品購入システム、２０…印刷装置、２２…第１制御部、２２ａ…ＣＰＵ、２２ａ１…インク残量判定部、２２ｂ…ＲＡＭ、２２ｃ…ＲＯＭ、２４…インク残量監視部、２６…インクカートリッジ、２６ａ…ＮＦＣタグ、２８…ＮＦＣタグリーダー、３０…第１無線通信部、３２…印刷機構、４０…端末、４２…第２制御部、４２ａ…ＣＰＵ、４２ａ１…経過日数判定部、４２ａ２…購入処理実施日更新部、４２ａ３…消耗品購入処理実行部、４２ｂ…ＲＡＭ、４２ｃ…ＲＯＭ、４２ｃ１…購入処理実施日記憶部、４２ｃ２…設定値記憶部、４４…第２無線通信部、４６…タッチスクリーンディスプレイ、４８…第３無線通信部、５０…消耗品販売サイト。
【図１】
2018041361.tif 000003
【図２】
2018041361.tif 000004
【図３】
2018041361.tif 000005
【図４】
2018041361.tif 000006
【図５】
2018041361.tif 000007
【図６】
2018041361.tif 000008
【図７】
2018041361.tif 000009